(57)【要約】【課題】コードを傷めるおそれがなく、イヤホンの不使用時に別個保管の必要がなく忘れたり紛失したりするおそれもなく、イヤホンの収納時および再使用時の操作が極めて簡単かつ迅速に行えるイヤホンコード絡まり防止具を提供する。【解決手段】ほぼ筒状のケース部材１０と、このケース部材１０に挿入可能な芯部材３０とを備える。芯部材３０およびケース部材１０の少なくとも一方に、イヤホンコードの中間部分を保持する第１のコード保持部が設けられる。少なくとも芯部材３０には、芯部材３０の一部がケース部材１０から引き出された第１の位置で、プラグ部近傍のコード端部分とイヤホンヘッド部近傍のコード端部分とを束ねてコード収容空間内に保持する第２のコード保持部が設けられる。イヤホンの不使用時には、コード収容空間に両コード端部分を収容した状態で芯部材３０が第２の位置へスライドされる。【選択図】図５
2019110510.tif 000002
【特許請求の範囲】
【請求項１】
プラグ部とイヤホンヘッド部とがコードで接続されたイヤホンのコードの絡まりを防止するイヤホンコード絡まり防止具であって、
ほぼ筒状のケース部材と、
前記ケース部材に挿入可能な芯部材とを備え、
前記芯部材および前記ケース部材の少なくとも一方に、イヤホンコードの中間部分を保持する第１のコード保持部が設けられるとともに、
少なくとも前記芯部材に、その一部が前記ケース部材から引き出された第１の位置で、プラグ部近傍のコード端部分とイヤホンヘッド部近傍のコード端部分とを束ねてコード収容空間内に保持する第２のコード保持部が設けられ、
イヤホンの不使用時に、前記コード収容空間に両コード端部分を収容した状態で前記芯部材が第２の位置へスライドされる
イヤホンコード絡まり防止具。
【請求項２】
前記第１のコード保持部は、前記芯部材において、その端部側に開口したほぼＵ字状の溝を有する請求項１に記載のイヤホンコード絡まり防止具。
【請求項３】
前記第２のコード保持部の前記コード収容空間は、ほぼＬ字状に屈曲している請求項１または２に記載のイヤホンコード絡まり防止具。
【請求項４】
前記第２のコード保持部の前記コード収容空間は、前記芯部材の前記第２のコード保持部に形成されたコード束用横溝とコード束用縦溝とにより構成され、前記コード束用横溝の一端は前記芯部材の側部に開口するとともに他端は前記コード束用縦溝に連結され、前記コード束用縦溝は前記芯部材の一端に開口している請求項３に記載のイヤホンコード絡まり防止具。
【請求項５】
前記ケース部材および前記芯部材は、前記芯部材が前記ケース部材内でスライドしたとき、前記ケース部材から脱落することを防止する脱落防止部を有する請求項１から４のいずれかに記載のイヤホンコード絡まり防止具。
【請求項６】
前記ケース部材は、その長手方向に伸びたスリット部およびこのスリット部から突出した爪状突起を有し、前記芯部材は前記スリット部に進入してスライドする操作用突出部およびこの操作用突出部の長手方向に沿って設けられた爪用スライド溝を有し、前記爪状突起が前記爪用スライド溝に係合することにより、前記芯部材が前記ケース部材内でスライドしたとき、前記ケース部材から脱落することを防止する請求項５に記載のイヤホンコード絡まり防止具。
【請求項７】
前記ケース部材および前記芯部材は、その一方に対して他方がスライドする際、そのスライド動作を案内する案内手段を有し、前記案内手段は、前記スライド動作を前記第１の位置と前記第２の位置の間で行わせる請求項５に記載のイヤホンコード絡まり防止具。
【請求項８】
前記芯部材はその表面に設けられたクランク状溝を有し、前記ケース部材はその内壁から内側へ突出した突起部を有し、前記突起部が前記クランク状溝に係合した状態で前記芯部材は前記ケース部材に対してスライドする請求項７に記載のイヤホンコード絡まり防止具。
【請求項９】
前記ケース部材はその外周に設けられたクランク状スリットを有し、前記芯部材は前記クランク状スリットに係合する係合片を有し、前記係合片が前記クランク状スリットに係合した状態で前記芯部材は前記ケース部材に対してスライドする請求項７に記載のイヤホンコード絡まり防止具。
【請求項１０】
前記ケース部材および前記芯部材は、前記コード収容空間に両コード端部分を収容した状態で前記芯部材が前記ケース部材に対して前記第２の位置へスライドされたときその状態を維持するような保持力を生じさせるロック手段を有する請求項１から９のいずれかに記載にイヤホンコード絡まり防止具。
【請求項１１】
前記芯部材を前記ケース部材に対してスライド操作するための操作部を有する請求項１から１０のいずれかに記載のイヤホンコード絡まり防止具。
【請求項１２】
前記操作部として、
前記ケース部材は、長手方向に伸びたスリット部を有し、
前記操作部として、前記芯部材は、少なくとも前記ケース部材の内部に収容された状態から、前記芯部材を外側方向に移動させるために前記スリット部から外部へ露出した操作用突出部を有する
請求項１１に記載のイヤホンコード絡まり防止具。
【請求項１３】
前記操作部として、前記芯部材は、その一端において前記芯部材を前記ケース部材に対してスライド操作するための膨大頭部を有する請求項１１に記載のイヤホンコード絡まり防止具。
【請求項１４】
前記操作部として、前記芯部材が第２の位置へスライドされることにより前記ケース部材内部に収容された状態で、前記芯部材は前記ケース部材の外側へ突出する突出尻部を有する請求項１１に記載のイヤホンコード絡まり防止具。
【請求項１５】
前記芯部材を前記ケース部材に対してスライド操作するための操作部として、前記芯部材が第２の位置へスライドされることにより前記ケース部材内部に収容された状態で、前記芯部材は前記ケース部材の外側へ突出する突出尻部を有する請求項７に記載のイヤホンコード絡まり防止具。
【請求項１６】
前記突出尻部はその側部表面にスライド溝を有するとともに、前記ケース部材はその内壁から内側へ突出した突起部を有し、前記突起部が前記スライド溝に係合した状態で前記芯部材は前記ケース部材に対してスライドする請求項１５に記載のイヤホンコード絡まり防止具。
【発明の詳細な説明】
【技術分野】
【０００１】
本発明は、プラグ部とイヤホンヘッド部とがコードで接続されたイヤホンのコードの絡まりを防止するイヤホンコード絡まり防止具に関する。
【背景技術】
【０００２】
携帯音楽機器、携帯電話機、スマートフォン、等、各種の携帯機器において、音声を再生するためにイヤホンが使用されている。典型的なイヤホンは、携帯機器の接続部に接続されるプラグ部と、ユーザの耳に装着されて音が出力されるイヤホンヘッド部と、両者の間を接続するコード（ケーブル）とにより構成される。ステレオ再生の場合にはイヤホンヘッド部は右（Ｒ）用と左（Ｌ）用に２個存在し、プラグ部から伸びたコードは、途中で分岐して両イヤホンヘッド部へ繋がっている。
【０００３】
このようなイヤホンは、不使用時に、コードが絡みやすく、使用開始時に絡まりの解消に時間を要したり、不用意に引っ張り力が掛かって、コード等を損傷したりする不具合があった。
【０００４】
そのため、従来、イヤホンのコードの絡まりを防止するための種々の器具や装置が提案されている。
【０００５】
第１の市販製品として、イヤホンの使用時にはコードを適量巻き付けて長さを調整し、イヤホンの不使用時にはコードを巻き付けて保管するコードホルダーが知られている。
【０００６】
第２の市販製品として、イヤホンの不使用時にコードを瞬時に巻き取るコードリールが知られている。
【０００７】
第３の市販製品として、プラグ近傍のコード部分と、イヤホンヘッド部近傍のコード部分とを一つにまとめてクリップ等で圧力を掛けて固定するコード保持具が知られている。
【０００８】
特許文献１（実用新案登録第３１３４２３７号公報）には、ワニ口クリップ型のイヤホーンコードクリップが提案されている。このイヤホーンコードクリップは、定められたイヤホーンコードの長さのところに取り付けておき、イヤホン使用時に衣服などを挟持して使用できるものである。そのために、ワニ口クリップの片方の挟持部材の外表面部に、矩形板状レバーを設けレバーの短手方向と同じ幅の帯状ゴムの一端をレバーの外表面に取り付け、帯状ゴムの他端部を挟着部の先端部に取り付け、帯状ゴムの弾力によりイヤホンコードを挟持部材の外表面に押し付ける。帯状ゴムを使ってイヤホーンコードクリップをコードの上に固定させることにより、コードの損傷の心配もなく、使い慣れたイヤホンコードの長さのところに常に付けておくことができ、さらにイヤホーンコードクリップを衣服などの頭部の近傍に挟持することで、落下などを防ぐことができ、またイヤホンを挟着して収納すると絡まりを防ぐことができる。
【０００９】
特許文献２（特開２０１６−７２９４４号公報)に開示されたイヤホンコード収納具は、扁平板状の本体の中央に上下に貫通させてイヤホンプラグを挿入する挿入孔を設け、この挿入孔の左右にコードを挿入するコード孔を設け、このコード孔から本体の外周縁に向けて切り込みを設け、その切り込みにはコードを本体の外周縁から差し込み中心へスライドしてコード孔まで移動させ、このコード孔にコードを挟持する。この構成により、様々な形状をもつイヤホンを収納し再度使用する時にコードが絡まりにくくほどけ易くしている。
【先行技術文献】
【特許文献】
【００１０】
【特許文献１】実用新案登録第３１３４２３７号公報
【特許文献２】特開２０１６−７２９４４号公報
【発明の概要】
【発明が解決しようとする課題】
【００１１】
しかしながら、第１の市販製品のコードホルダーでは、（ａ）コードの巻き付け時、および、巻き付けたコードの解き時に時間を要する、（ｂ）コードに巻き癖がつくためイヤホン使用時に支障が生じる、（ｃ）コードホルダーはイヤホンとは別に持ち運ぶ必要があり、忘れたり、紛失したりしやすい、（ｄ）イヤホンの使用中にイヤホンに装着したままだと嵩張って邪魔になる、等の問題がある。
【００１２】
第２の市販製品としてのコードリールは、（ｅ）コードの長さ、太さがメーカーや用途によって様々であるため、コード全体を巻き取れない場合があり、適用できるイヤホンが限られる、かつ、左右でコードの長さが異なるイヤホンには使用できないという問題がある。その他、上記コードホルダーについて指摘した問題（ｂ）〜（ｄ）もある。
【００１３】
第３の市販製品としてのコード保持具は、（ｆ）コード部分に圧力を掛けるのでコードを痛め、ひいては断線を招来するおそれがある、という問題がある。その他、上記コードホルダーについて指摘した問題（ｂ）〜（ｄ）もある。
【００１４】
特許文献１（実用新案登録第３１３４２３７号公報）におけるイヤホーンコードクリップでは、イヤホンの使用時にも常時コードに装着しておくことができるが、ワニ口クリップ形状であるために、比較的にサイズが大きくならざるを得ず、また、矩形板状レバーおよび帯状ゴムの他、ワニ口クリップを構成するための対向二枚挟持部材、回転軸構造（ヒンジ構造）やバネ部材も必要となると考えられ、部品点数が多く、コスト増を招来する。また、イヤホンの不使用時に、イヤホンのコード端部分をクリップで挟むことによりコード端部分に圧力を掛けるので、コードを痛め、ひいては断線を招来するおそれがある。
【００１５】
特許文献２（特開２０１６−７２９４４号公報)に開示されたイヤホンコード収納具は、イヤホンの使用中にイヤホンに装着しておくことができないので、上記第１の市販品と同様、イヤホンとは別に持ち運ぶ必要があり、忘れたり、紛失したりしやすい、等の問題がある。
【００１６】
本発明はこのような背景においてなされたものであり、その目的は、コードを傷めるおそれがなく、イヤホンの不使用時に別個保管の必要がなく、忘れたり紛失したりするおそれもなく、イヤホンの収納時および再使用時の操作が極めて簡単かつ迅速に行えるイヤホンコード絡まり防止具を提供することにある。
【課題を解決するための手段】
【００１７】
本発明によるイヤホンコード絡まり防止具は、プラグ部とイヤホンヘッド部とがコードで接続されたイヤホンのコードの絡まりを防止するイヤホンコード絡まり防止具であって、
ほぼ筒状のケース部材と、
前記ケース部材に挿入可能な芯部材とを備え、
前記芯部材および前記ケース部材の少なくとも一方に、第１のコード保持部が設けられるとともに、
少なくとも前記芯部材に、その一部が前記ケース部材から引き出された第１の位置で、プラグ部近傍のコード端部分とイヤホンヘッド部近傍のコード端部分とを束ねてコード収容空間内に保持する第２のコード保持部が設けられ、
イヤホンの不使用時に、前記コード収容空間に両コード端部分を収容した状態で前記芯部材が第２の位置へスライドされるものである。
【００１８】
このイヤホンコード絡まり防止具は、使用対象のイヤホンに対して、初期的に、そのイヤホンコードの中間部分が芯部材の第１のコード保持部に保持され、イヤホンの使用中もイヤホンに装着したままとすることができる。
【００１９】
このイヤホンコード絡まり防止具は、前記第１の位置で開状態となり、前記第２の位置で閉状態となる。
【００２０】
イヤホンの使用後にイヤホンを収納場所に収納する際に、芯部材の一部がケース部材から引き出された第１の位置で、プラグ部近傍のコード端部分とイヤホンヘッド部近傍のコード端部分とを束ねて第２のコード保持部のコード収容空間内に保持した状態で、芯部材を第２の位置へスライドする。この芯部材が第２の位置へスライドされた状態では、両コード端部分がイヤホンコード絡まり防止具に保持されるとともに、イヤホンコードの絡まりが効果的に防止される。
【００２１】
前記第１のコード保持部は、前記芯部材において、その端部側に開口したほぼＵ字状の溝を有してもよい。これにより、イヤホンコード絡まり防止具に取り付けられるイヤホンコードの中間部分もほぼＵ字状に屈曲することになり、イヤホンコードを圧迫することなく、確実に保持することができる。
【００２２】
前記第２のコード保持部の前記コード収容空間は、ほぼＬ字状に屈曲している構成とすることができる。複数のコード端部分を束ねてコード収容空間内に収容するので、ほぼＬ字状の屈曲であっても、コードを圧迫することなく、確実に保持することができる。
【００２３】
前記第２のコード保持部の前記コード収容空間は、前記芯部材の前記第２のコード保持部に形成されたコード束用横溝とコード束用縦溝とにより構成され、前記コード束用横溝の一端は前記芯部材の側部に開口するとともに他端は前記コード束用縦溝に連結され、前記コード束用縦溝は前記芯部材の一端に開口している構成とすることができる。この構成により、複数のコード端部分を束ねて収容しても芯部材およびケース部材、ひいてはイヤホンコード絡まり防止具のサイズを過大にすることを回避できる。また、コードの太さや形状の異なる種々のイヤホンに適用可能となり、汎用性が高まる。
【００２４】
前記ケース部材および前記芯部材は、前記芯部材が前記ケース部材内でスライドしたとき、前記ケース部材から脱落することを防止する脱落防止手段を有してもよい。これにより、イヤホンコード絡まり防止具の使用時に誤って芯部材をケース部材から脱落させて再度挿入し直す、という手間が省かれる。
【００２５】
前記脱落防止手段の一態様として、前記ケース部材は、その長手方向に伸びたスリット部およびこのスリット部から突出した爪状突起を有し、前記芯部材は前記スリット部に進入してスライドする操作用突出部およびこの操作用突出部の長手方向に沿って設けられた爪用スライド溝を有し、前記爪状突起が前記爪用スライド溝に係合することにより、前記芯部材が前記ケース部材内でスライドしたとき、前記ケース部材から脱落することを防止する構成としてもよい。
【００２６】
前記脱落防止手段の他の態様として、前記ケース部材および前記芯部材は、その一方に対して他方がスライドする際、そのスライド動作を案内する案内手段を有し、前記案内手段は、前記スライド動作を前記第１の位置と前記第２の位置の間で行わせる構成としてもよい。  
【００２７】
前記案内手段の一態様として、前記芯部材はその表面に設けられたクランク状溝を有し、前記ケース部材はその内壁から内側へ突出した突起部を有し、前記突起部が前記クランク状溝に係合した状態で前記芯部材は前記ケース部材に対してスライドする構成としてもよい。
【００２８】
前記案内手段の他の態様として、前記ケース部材はその外周に設けられたクランク状スリットを有し、前記芯部材は前記クランク状スリットに係合する係合片を有し、前記係合片が前記クランク状スリットに係合した状態で前記芯部材は前記ケース部材に対してスライドする構成としてもよい。
【００２９】
前記ケース部材および前記芯部材は、前記コード収容空間に両コード端部分を収容した状態で前記芯部材が前記ケース部材に対して前記第２の位置へスライドされたときその状態を維持するような保持力を生じさせるロック手段を有してもよい。この構成により、コード収容空間に両コード端部分を収容した状態がイヤホンコードに掛かる外力等により意図せずに解除される不具合が回避される。
【００３０】
前記芯部材を前記ケース部材に対してスライド操作するための操作部を有してもよい。これにより、イヤホンコード絡まり防止具の開閉操作が容易となる。
【００３１】
例えば、前記操作部として、前記ケース部材は、長手方向に伸びたスリット部を有し、前記芯部材は、少なくとも前記ケース部材の内部に収容された状態から、前記芯部材を外側方向に移動させるために前記スリット部から外部へ露出した操作用突出部を有してもよい。
【００３２】
前記操作部として、前記芯部材は、その一端において前記芯部材を前記ケース部材に対してスライド操作するための膨大頭部を有してもよい。
【００３３】
前記操作部として、前記芯部材が第２の位置へスライドされることにより前記ケース部材内に収容された状態で、前記芯部材は前記ケース部材の外側へ突出する突出尻部を有してもよい。
【００３４】
また、前記突出尻部はその側部表面にスライド溝を有するとともに、前記ケース部材はその内壁から内側へ突出した突起部を有し、前記突起部が前記スライド溝に係合した状態で前記芯部材は前記ケース部材に対してスライドする構成としてもよい。これにより、突出尻部が操作部の機能と案内手段の機能を併せ持つことができる。
【発明の効果】
【００３５】
本発明のイヤホンコード絡まり防止具によれば、コードを傷めるおそれがなく、イヤホンの不使用時に別個保管の必要がなく忘れたり紛失したりするおそれもなく、イヤホンの収納時および再使用時の操作が極めて簡単かつ迅速に行える。
【図面の簡単な説明】
【００３６】
【図１】図１（ａ）は、本実施形態によるイヤホンコード絡まり防止具を構成する２つの部品としてのケース部材と芯部材の外観を示す斜視図であり、図１（ｂ）（ｃ）は、芯部材を異なる角度から見た斜視図である。
【図２】図２（ａ）（ｂ）はそれぞれケース部材の右側面図および左側面図であり、図２（ｃ）（ｄ）はそれぞれ芯部材の右側面図および左側面図である。
【図３】図３（ａ）（ｂ）は、それぞれ、ケース部材に芯部材を収容した状態で、芯部材がスライド可能な範囲の限界位置である第１の位置と第２の位置とを示す図である。
【図４】図４（ａ）（ｂ）は、イヤホンコード絡まり防止具の使用に際して、ユーザが最初に行う操作として、イヤホンコードの中間部分をイヤホンコード絡まり防止具に取り付ける手順を示す図である。
【図５】図５（ａ）は、ユーザがイヤホンを使用する際にイヤホンコード絡まり防止具を垂下させている状態を示し、図５（ｂ）（ｃ）は、イヤホンの使用後に、収納ケースや袋、鞄等の収納場所にイヤホンを収容する際の手順を説明するための図である。
【図６】図６（ａ）（ｂ）はイヤホン使用時のイヤホンコード絡まり防止具の使用形態を説明するための図である。
【図７】図７（ａ）は、第１の変形例におけるイヤホンコード絡まり防止具のケース部材と芯部材の外観を示した斜視図であり、図７（ｂ）は芯部材の正面図である。
【図８】図８（ａ）（ｂ）はそれぞれ第１の変形例におけるケース部材の右側面図および左側面図であり、図８（ｃ）（ｄ）にそれぞれ第１の変形例における芯部材の右側面図および左側面図である。
【図９】図９（ａ）（ｂ）（ｃ）は第１の変形例におけるイヤホンコード絡まり防止具の使用時の手順を説明するための図である。
【図１０】図１０（ａ）は第２の変形例におけるイヤホンコード絡まり防止具のケース部材と芯部材の外観を示した斜視図であり、図１０（ｂ）は芯部材の別の角度から見た斜視図である。
【図１１】図１１（ａ）（ｂ）（ｃ）は第２の変形例におけるイヤホンコード絡まり防止具の使用時の手順を説明するための図である。
【図１２】図１２（ａ）は第３の変形例におけるイヤホンコード絡まり防止具のケース部材と芯部材の外観を示した斜視図であり、図１２（ｂ）はケース部材に芯部材を挿入した第１の位置での外観を示す斜視図であり、図１２（ｃ）は第２の位置での外観を示す斜視図である。
【図１３】図１３（ａ）は第４の変形例におけるイヤホンコード絡まり防止具のケース部材と芯部材の外観を示した斜視図であり、図１３（ｂ）は芯部材の別の角度から見た斜視図である。
【図１４】図１４（ａ）（ｂ）は第４の変形例におけるイヤホンコード絡まり防止具の使用時の手順を説明するための図である。
【図１５】図１５（ａ）は第５の変形例におけるイヤホンコード絡まり防止具のケース部材と芯部材の外観を示した斜視図であり、図１５（ｂ）は芯部材の特定の角度から見た正面図であり、図１５（ｃ）は芯部材の背面図である。
【図１６】図１６（ａ）（ｂ）（ｃ）は第５の変形例におけるイヤホンコード絡まり防止具の使用時の手順を説明するための図である。
【図１７】図１７（ａ）（ｂ）（ｃ）は第６の変形例におけるイヤホンコード絡まり防止具のケース部材と芯部材の外観を示した斜視図であり、図１７（ｂ）は芯部材の特定の角度から見た正面図であり、図１７（ｃ）はその背面図である。
【図１８】図１８（ａ）（ｂ）（ｃ）は第６の変形例におけるイヤホンコード絡まり防止具の使用時の手順を説明するための図である。
【図１９】図１９（ａ）は第６の変形例における芯部材の外観を示す図であり、図１９（ｂ）はそのさらなる変形例である芯部材の外観を示す図である。
【発明を実施するための形態】
【００３７】
以下、本発明の実施形態について図面を参照しながら詳細に説明する。
【００３８】
＜実施形態の構成＞
本実施形態によるイヤホンコード絡まり防止具は、プラグ部とイヤホンヘッド部とがコードで接続された形態のイヤホンを対象としている。
【００３９】
コードが付属した典型的なイヤホンとして、開放型や密閉型（カナル型）等があるが、本発明は特にいずれかの種類のイヤホンに制限されるものではない。以下では、ステレオ再生を行うイヤホンとして、右用と左用の２個のイヤホンヘッド部を有しているものについて説明する。但し、本発明はモノラル再生用の単一のイヤホンヘッド部を有するものにも適用可能である。また、プラグ部から伸びたコードが左右のイヤホンヘッド部へ分岐する２本の分岐コードの長さが異なっているものにも適用可能である。イヤホンのプラグは典型的な型のものを示したが、他の型、例えば、Lightning(商標)コネクタに接続される型のものであってもよい。
【００４０】
図１（ａ）は、本実施形態によるイヤホンコード絡まり防止具１００を構成する２つの部品としてのケース部材１０と芯部材３０の外観を示す斜視図である。図１（ｂ）（ｃ）は、芯部材３０を異なる角度から見た斜視図である。図２（ａ）（ｂ）はそれぞれケース部材１０の右側面図および左側面図であり、図２（ｃ）（ｄ）はそれぞれ芯部材３０の右側面図および左側面図である。
【００４１】
ケース部材１０はほぼ筒状の形状で両端に開口１４，１６を有する。芯部材３０は、このケース部材１０に挿入され、ケース部材１０内で、長手方向に沿って、ケース部材１０に対する相対的な位置としての第１の位置と第２の位置との間でスライド可能に構成される。この例では、ほぼ円筒状の筒状体１１により構成されている。後述する回転操作を伴うもの以外、筒の断面は円に限るものではなく、四角や他の多角形であってもよい。
【００４２】
筒状体１１の一端の開口１４には、その円周の３分の１程度（約１２０°）の幅で長手方向（軸方向）の中間近傍まで伸びた切り欠き１２が形成されている。この切り欠き１２の一辺に連続した辺を有し、切り欠き１２の幅より狭い幅のスリット部１３が筒状体１１の他端近傍まで延在している。
【００４３】
スリット部１３の他方の辺と切り欠き１２との境界に、スリット部１３の内側方向へ突出した爪状突起１５が設けられている。この爪状突起１５は後述する芯部材３０の爪用スライド溝３８と協働して、芯部材３０がケース部材１０の内部に収容された状態で外方向へスライドしたとき、ケース部材１０から脱落することを防止する脱落防止手段として機能する。また、爪状突起１５と爪用スライド溝３８とは、ケース部材１０に対して芯部材３０を第１の位置（開位置）と第２の位置（閉位置）との間でスライド可能に案内する案内手段としても機能する。
【００４４】
筒状体１１の他端の開口１６（開口１４と反対側の開口）にはその内周側に肉厚となった所定の厚さの環状縁部１７が設けられている。この環状縁部１７の肩部は、ケース部材１０に挿入された芯部材３０の芯状体３１の端部が当接してそれ以上の挿入を阻止するストッパとして機能する。
【００４５】
スリット部１３の端部は開口１６側に開口することなく、筒状体１１および環状縁部１７のそれぞれの一部が円弧状部１９として残されている。この円弧状部１９の存在はケース部材１０の構造強度を高める働きをする。但し、円弧状部１９は必須ではなく、この代わりに、スリット部１３は開口１６に繋がるように開口してもよい。
【００４６】
芯部材３０は、ケース部材１０内で、長手方向に沿って第１の位置と第２の位置との間でスライド可能である。図示の例では、芯部材３０は、ケース部材１０の内部に収容された状態で、ケース部材１０の外部から内部に挿入されたイヤホンコードの中間部分を保持する第１のコード保持部３２と、イヤホンの不使用時に、プラグ部近傍のコード端部分とイヤホンヘッド部近傍のコード端部分とを束ねてコード収容空間内に保持する第２のコード保持部３３とを有する。
【００４７】
ケース部材１０内に収容された芯部材３０をケース部材１０から排出させる際に、ケース部材１０に対してスライド操作（すなわち開閉操作）するための操作部として、芯部材３０をケース部材１０の内部に収容された状態から軸方向に沿って外側方向へ移動させるために、芯部材３０は、スリット部１３から外部へ露出した操作用突出部３７を有する。この操作用突出部３７は、例えば、ケース部材１０を保持したユーザの片手の親指でスライド操作することができる。この例では操作用突出部３７は芯部材３０の長手方向に沿って設けられた突条で構成されている。この突条は、長手方向にほぼ山型に湾曲しており、その基部は芯部材３０のケース部材１０への挿入時に開口１４から切り欠き１２を経てスリット部１３の中へスライドする。操作用突出部３７の基部から外方へ突出した部分はケース部材１０から外部へ露出する。
【００４８】
なお、操作用突出部３７は図示のような湾曲した山型形状でなく、他の形状であってもよい。例えば、ほぼ矩形状の凸部を含む形状や、山型形状の中央が窪んだ谷型形状であってもよい。
【００４９】
芯部材３０の第１のコード保持部３２については別の図で後述する。
【００５０】
図１（ｂ）に良く表れるように、芯部材３０の第２のコード保持部３３は、コード収容空間として、プラグ部近傍のコード端部分とイヤホンヘッド部近傍のコード端部分とを束ねて収容する凹部を有する。この凹部は、ほぼＬ字状（ほぼ９０°）に屈曲しており、より具体的には、コード束用横溝３５とコード束用縦溝３６とが連結したものである。本明細書において、「縦」とは芯部材３０やケース部材１０の長手方向（軸方向）に沿った方向を意味し、横とはそれに直交する方向を意味する。
【００５１】
図１（ｂ）（ｃ）から分かるように、芯部材３０の第１のコード保持部３２には、イヤホンコードの中間部分を屈曲して収容するための、端部側に開口したほぼＵ字状の溝であるコード中間部分収容溝３４が形成されている。このほぼＵ字状の溝は中間壁３４ａの周りに構成される。
【００５２】
図１（ｃ）には、操作用突出部３７の基部の片側側部に設けられた爪用スライド溝３８が良く表れている。この爪用スライド溝３８は有底の溝であるが、基部の他方の側部へ貫通した底のない溝であってもよい。
【００５３】
図２（ａ）によく表れるように、ケース部材１０の内壁には円形状の突起部１８が設けられている。
【００５４】
図３（ａ）（ｂ）は、それぞれ、ケース部材１０に芯部材３０を収容した状態で、芯部材３０がスライド可能な範囲の限界位置である第１の位置（開位置）と第２の位置（閉位置）とを示している。第１の位置は、図３（ａ）に示すように、芯部材３０がケース部材１０から引き出された開位置であり、芯部材３０の操作用突出部３７の片側の基部に沿って形成された爪用スライド溝３８の一端３８ａ（図１（ｃ）参照）に、ケース部材１０の爪状突起１５が当接する位置である。第２の位置は、図３（ｂ）に示すように、芯部材３０がケース部材１０に完全に挿入された閉位置であり、芯部材３０の端部（図の左端）がケース部材１０の環状縁部１７に当接する位置（芯部材３０の端部が環状縁部１７に当接する前に、第２のコード保持部３３の大径部の傾斜側辺が切り欠き１２の側辺に当接する場合にはその位置）である。
【００５５】
ケース部材１０に収容した状態の芯部材３０をケース部材１０から完全に取り外す（離脱させる）際には、ユーザがケース部材１０のスリット部１３を若干拡げつつ、爪用スライド溝３８から爪状突起１５が離脱するように芯部材３０をスライドさせる。あるいは、爪状突起１５の形状によっては、許容スライド範囲内をスライドさせる通常の力より大きな力を芯部材３０に作用させることにより、爪用スライド溝３８から爪状突起１５を離脱させる構成とすることも可能である。例えば、爪状突起１５の形状は開口１６側がスリット部１３の長手方向に対して垂直に突出しているが、斜めに傾斜している形状としてもよい。
【００５６】
＜実施形態の使用手順および使用態様＞
図４（ａ）（ｂ）は、イヤホンコード絡まり防止具１００の使用に際して、ユーザが最初に行う操作として、イヤホンコード５１の中間部分をイヤホンコード絡まり防止具１００の第１のコード保持部に取り付ける手順を示している。
【００５７】
ユーザは、イヤホンコード絡まり防止具１００を取り付けたい位置のイヤホンコード５１の中間部分をほぼＵ字状に湾曲させて、この湾曲部を先頭にして開口１６の側からケース部材１０の中を通し、反対側の開口１４から所定量だけ露出させる。ついで、このコード５１のほぼＵ字状の湾曲部を芯部材３０のコード中間部分収容溝３４（ほぼＵ字状の溝）に収容する。図４（ａ）はこの状態を示している。
【００５８】
次いで、この状態の芯部材３０をケース部材１０の開口１４に挿入する。この際、操作用突出部３７の位置がスリット部１３に合うように、円筒軸周りの回転角度を調整する。
【００５９】
図４（ｂ）は、ケース部材１０に挿入された芯部材３０の爪状突起１５が爪用スライド溝３８の端部に到達して同溝に係合した状態（第１の位置）を示している。以後、芯部材３０はこの第１の位置と、芯部材３０が完全にケース部材１０に挿入された位置（第２の位置）との間において、ユーザの適度な力によりスライド可能となる。
【００６０】
第２の位置では、芯部材３０の周面の所定の位置に設けられたほぼ円形状の輪郭を有する凹部３９に、ケース部材１０の内壁に設けられた対応する円形状の突起部１８が嵌合（または係合）する。これにより、ケース部材１０内で芯部材３０を第２の位置に維持する力が働く。すなわち、芯部材３０の凹部３９とケース部材１０の突起部１８とは、芯部材３０を第２の位置に維持するような保持力を生じさせるロック手段を構成する。なお、凹凸の関係は逆であってもよい。すなわち、芯部材の側に突起部を設け、ケース部材１０の側に当該突起部が係合する凹部（または開口）を設けてもよい。
【００６１】
このロック手段の保持力は、図５（ｃ）で後述するように、コード収容空間に両コード端部分を収容した状態で芯部材３０がケース部材１０の内部に完全に収容されたときその状態（第２の位置）を維持するよう働く。芯部材３０に対してその保持力を超える外力が働いたときには、芯部材３０は第２の位置から離脱する。
【００６２】
芯部材３０をケース部材１０に完全に挿入した状態（すなわち芯部材３０がケース部材１０に対して第２の位置へスライドされた状態）を維持するロック手段は、凹部３７と突起部１８の組み合わせの代わりに、芯部材３０がケース部材１０に摩擦力で係止されることにより構成されてもよい。
【００６３】
図５（ａ）は、ユーザがイヤホン５０を使用する際のイヤホン５０の全体像の概略を示している。イヤホン５０はプラグ部５２とイヤホンヘッド部５６，５７とがコード５１で接続された形態を有している。プラグ部５２から伸びたコード５１は左右のイヤホンヘッド部５６，５７へ分岐する２本の分岐コード５３，５４を有している。コード５１の太さは分岐コード５３，５４より太い。コード５１は断面が円形状のものを示しているが長円状のものであってもよい。この図は、本実施形態のイヤホンコード絡まり防止具１００を、その芯部材３０がケース部材１０内に収容された状態で垂下させている状態を示している。第２のコード保持部３３は空状態のままである。
【００６４】
図５（ｂ）は、イヤホン５０の使用後に、収納ケースや袋、鞄等の収納場所にイヤホン５０を収納する前に、図４（ｂ）に示したように芯部材３０をケース部材１０から第１の位置へ突出させることにより第２のコード保持部３３のコード収容空間（コード束用横溝３５とコード束用縦溝３６）を露出（開放）させ、プラグ部近傍のコード端部分とイヤホンヘッド部近傍のコード端部分とを束ねてコード束用横溝３５に収容した状態を示している。
【００６５】
図５（ｃ）は、図５（ｂ）の状態で、ケース部材１０に対して芯部材３０を第２の位置（閉位置）にまでスライドさせて挿入した状態を示している。この挿入の際、ケース部材１０の外縁がコード端部分の先端側に当接してコード端部分を押し曲げることによってコード束用縦溝３６内にコード束が誘導され、コード束用縦溝３６と重なるケース部材１０の開口１４からプラグ部５２およびイヤホンヘッド部５６，５７が外方へ突出する。
【００６６】
このように、芯部材３０のコード収容空間に両コード端部分を収容した状態（第２の位置）においてケース部材１０の内部へ収容される際、複数のコード端部分は束としてほぼＬ字状（ほぼ９０°）に屈曲した状態となる。この際、各コード端部分は特に押圧または圧迫されることなく、互いに連結したコード束用横溝３５とコード束用縦溝３６とからなる屈曲したコード収容空間内に屈曲して収容される。その結果、各コード部分同士の摩擦力および屈曲したコードが元の形状（ほぼ直線）に戻ろうとしてコード収容空間の壁部を外側に押す力が働くことにより生じるコード収容空間の壁部との適度な摩擦力により、同空間内の各コード部分の自由な動きが規制される。
【００６７】
なお、コード中間部分を保持する第１のコード保持部３２ではコード１本（ステレオの場合でもコードとしては１本）であり、第２のコード保持部３３でのコード束に比べて摩擦力が低くなると考えられるが、１本のコードをほぼＵ字状に屈曲して（すなわち１８０°折り返して）コード中間部分収容溝３４内に収容することにより、イヤホンコード絡まり防止具１００に対するコード中間部の摩擦力を増加させている。その結果、イヤホンに装着したイヤホンコード絡まり防止具１００の位置が意図せずにずれてしまうような不具合が防止される。また、コードが１本なので第１のコード保持部３２のほぼＵ字状溝の溝幅は、コード収容空間の幅に比べて小さくてもよく、ほぼＵ字状に屈曲しても、芯部材３０の外径ひいてはケース部材１０の内径を必要以上に大きくする必要がない。
【００６８】
一方、第２のコード保持部３３では、コード束として取り扱うコード本数が増加するので、ほぼＵ字状に屈曲すると芯部材３０の外径ひいてはケース部材１０の内径を必要以上に拡大する必要が生じ、イヤホンコード絡まり防止具１００のサイズ（筒の外径）が大きくなる。本実施の形態におけるコード束用横溝３５とコード束用縦溝３６とからなるほぼＬ字状（ほぼ９０°）に屈曲したコード収容空間の採用はこの問題を解決するのに有用である。しかも、コード束による摩擦力が増加するので、コード端部分の屈曲角度は、ほぼＵ字状の屈曲（１８０°の屈曲）でなくＬ字状の屈曲（ほぼ９０°の屈曲）でも足りる。
【００６９】
図５（ｃ）の状態（閉位置）では、上述したロック手段が働き、ケース部材１０に芯部材３０が収容された状態が維持される。また、この状態では、プラグ部５２とイヤホンヘッド部５６，５７のコード端部分がまとめて固定されるので、イヤホンコード５１の絡まりが防止される。イヤホンコード５１は、その中間部分に装着されたイヤホンコード絡まり防止具１００を基点に折り返され、さらに、プラグ部５２とイヤホンヘッド部５６，５７のコード端部分が第２のコード保持部３３にまとめて固定されることにより二重のループを形成するので、ループが一重の場合に比べてイヤホンコード５１のたるみ量はほぼ半減し、収納ケースや袋、鞄等の収納場所に収納する際に取り扱いが楽になる。
【００７０】
本実施形態によるイヤホンコード絡まり防止具１００は、小型・軽量かつコンパクトにまとまっているので、イヤホン５０の使用状態で、図５（ａ）に示すように空中に垂下させていても、特に違和感はない。例えば、図１に示した実施形態の試作品では、ケース部材１０の長さは約１９ｍｍ、外径は約１１ｍｍ、重量は約１ｇである。図では視認性の観点から拡大して示してある。
【００７１】
但し、図６（ａ）に示すように、遊んでいる第２のコード保持部３３をクリップとして利用して、ユーザの衣服の一部（前立て１０１やポケット１０２の上縁部）を噛ませることにより、垂下状態のイヤホンコード絡まり防止具１００を安定に固定することも可能である。
【００７２】
あるいは、イヤホンコードの全長が過度に長い場合に、図６（ｂ）に示すように、イヤホン使用時、第２のコード保持部３３を利用して、例えばコード５１の適当な位置に第２のコード保持部３３を保持させることにより、使用時のイヤホンコードの実効的な長さを邪魔にならない使いやすい長さに調整することができる。イヤホン使用時に第２のコード保持部３３を利用して実効的な長さ調整を行う態様は図示のものに限らない。例えば、余分なイヤホンコード部分をループにした交差部分を第２のコード保持部３３を保持させるようにすれば、一層の長さ調整が行えるとともに、ループのサイズを小さくすることができる。あるいは、イヤホンコード絡まり防止具１００からプラグ部５２までのコード５１の部分と、イヤホンコードからみ防止具１００から分岐部までのコード５１の部分の２本を束ねた状態で第２のコード保持部３３に保持させるようにすることも可能である。
【００７３】
＜実施形態の作用効果＞
本実施の形態のイヤホンコード絡まり防止具１００の作用効果をまとめると以下のとおりである。
（ａ）イヤホンコード絡まり防止具１００はイヤホン５０に常時装着して使用することができるため、イヤホン５０の不使用時に、別個保管の必要がなく忘れたり紛失したりするおそれがない。
（ｂ）ケース部材１０と芯部材３０の２部品により小型・軽量かつ比較的低コストに製作できるので、イヤホン５０の使用時にイヤホンコード５１の中間部分に装着されたままでも装着していることを感じず、邪魔にならない。
（ｃ）イヤホン５０の不使用時には、ケース部材１０に対する芯部材３０の出し入れ操作のみで、第２のコード保持部３３にプラグ部近傍のコード端部分とイヤホンヘッド部近傍のコード端部分とを束ねて保持できる。したがって、イヤホン５０の収納時および再使用時の操作が極めて簡単かつ迅速に行えるのみならず、コード端部分の保持によりコードの絡まりが有効に防止される。
（ｄ）ケース部材１０と芯部材３０とで形成される第１および第２のコード保持部の空間内に屈曲してイヤホン５０のコード部分を保持する構成により、コードの異なる太さや長短、形状等に対応でき、ほぼ殆どの種類のイヤホンに利用可能である。
（ｅ）同じくケース部材１０と芯部材３０とで形成される第１および第２のコード保持部の空間内に屈曲してコード部分を保持する構成により、コードに圧力を掛けて（圧迫して）保持しなくてもコード保持が確実となり、コードが絡まり防止具１００から外れることがない。プラグ部近傍のコード端部分とイヤホンヘッド部近傍のコード端部分とは太さが異なるが、挟持する構成ではなく空間内に収容する構成なので何ら問題がない。
（ｆ）コードを圧迫しないので長期間使用してもコードを傷めることがない。
（ｇ）第２のコード保持部３３を利用して、イヤホンコード絡まり防止具１００を衣服の一部等に固定して利用すれば、使用中のイヤホン５０のコードおよびイヤホンコード絡まり防止具１００の安定化が図れる。
（ｈ）部品の点数は２点でよく、合成樹脂等の材料で構成できるので、低コストで製作できる。
（ｉ）イヤホン５０の不使用時にイヤホンコード絡まり防止具１００はコードをぐるぐる巻きにしないので、イヤホン５０の収納時や使用前の操作に時間を要さず、コードの巻き癖がつくこともない。
（ｊ）第２のコード保持部３３にプラグ部近傍のコード端部分とイヤホンヘッド部近傍のコード端部分とを束ねて保持した際に、イヤホンコード全体は二重のループを形成するので、一重のループを形成する場合に比べて、コードの垂れ下がり量が小さくなり、取り扱いが容易となる。
（ｋ）イヤホンの使用時に、第２のコード保持部３３を用いて、イヤホンコード絡まり防止具１００を衣服等に固定するためのクリップとして利用したり、イヤホンコードの全長が過度に長い場合にコードの長さを調整したりすることができる。
【００７４】
＜第１の変形例＞
図７にイヤホンコード絡まり防止具の実施形態の第１の変形例を示す。図７（ａ）は、第１の変形例におけるイヤホンコード絡まり防止具１００ａのケース部材１１０と芯部材１３０の外観を示した斜視図である。図７（ｂ）は芯部材１３０の正面図を示している。また、図８（ａ）（ｂ）にそれぞれケース部材１１０の右側面図および左側面図を示し、図８（ｃ）（ｄ）にそれぞれ芯部材１３０の右側面図および左側面図を示す。
【００７５】
この第１の変形例においても、図７（ａ）に示すように、イヤホンコード絡まり防止具１００ａはケース部材１１０と芯部材１３０の二つの部品のみにより構成される。ケース部材１１０は、ほぼ円筒状の筒状体１１１により構成されている。芯部材１３０は、第１のコード保持部１３２と第２のコード保持部１３３とを有する芯状体１３１により構成される。第１のコード保持部１３２には、図４（ａ）に示したと同様の、イヤホンコードの中間部分を屈曲して収容するための、端部側に開口したほぼＵ字状の溝であるコード中間部分収容溝が形成されている（図７（ａ）では隠れている）。第２のコード保持部１３３は、コード束用横溝１３５とコード束用縦溝１３６とからなるほぼＬ字状（ほぼ９０°）に屈曲したコード収容空間を有する。
【００７６】
このような構成は図１に示した実施形態と共通している。図１の実施形態と異なる構成は以下の点である。
【００７７】
図１の実施形態では、ケース部材１０の中で芯部材３０がスライド動作する範囲を定める案内手段として、あるいは脱落防止手段として、ケース部材１０の爪状突起１５と芯部材３０の爪用スライド溝３８との組み合わせを用いた。これに対して、第１の変形例では、芯部材１３０の表面（湾曲した周面）にクランク状溝１３８と、ケース部材１１０の内壁から内側へ突出しクランク状溝１３８に係合してスライドする突起部１１８とを設けている。クランク状溝１３８は、芯部材１３０の一端（第１のコード保持部１３２側）に開口し芯部材１３０の半ばまでその長手方向に沿って伸びた第１の溝部分１３８ａと、この第１の溝部分１３８ａからほぼ直角に屈曲して芯部材１３０の円周方向に若干量（回転角度にして１５°程度）横行した第２の溝部分１３８ｂと、この第２の溝部分１３８ｂから長手方向に沿って芯部材１３０の他端側へ伸びた第３の溝部分１３８ｃとからなる。筒状体１１１の一端の開口１１４には、その円周の３分の１程度（約１２０°）の幅で長手方向（軸方向）の中間近傍まで伸びた切り欠き１１２が形成されている。この切り欠き１１２の一辺に連続した辺を有し、切り欠き１１２の幅より狭い幅のスリット部１１３が筒状体１１１の長手方向中間付近まで延在している。
【００７８】
なお、第３の溝部分１３８ｃは芯部材１３０の他端に開口している例を示したが、他端側には開口せずに、芯部材１３０の当該他端から離れた位置で終端してもよい。
【００７９】
芯部材１３０へのコード中間部分の保持は、図１の実施形態と同様である。すなわち、ユーザは、このイヤホンコード絡まり防止具１００ａを取り付けたい位置のイヤホンコード５１の中間部分をほぼＵ字状に湾曲させて、この湾曲部を先頭にして開口１１６の側からケース部材１１０の中を通し、反対側の開口１１４から所定量だけ露出させ、ついで、このほぼＵ字状の湾曲部を芯部材１３０のコード中間部分収容溝１３４（図８（ｄ）参照）に収容する。
【００８０】
この状態の芯部材１３０をケース部材１１０の開口１１４に挿入する。その際、この第１の変形例では、クランク状溝１３８の第１の溝部分１３８ａに突起部１１８を係合させた状態で同溝部分１３８ａの端部まで芯部材１３０をケース部材１１０内へ挿入する。図９（ａ）にその状態を示す。便宜上、コードは図示省略してある。
【００８１】
ユーザは図９（ａ）の状態から、第２の溝部分１３８ｂの一端にある突起部１１８が第２の溝部分１３８ｂの他端へ移動するように、ケース部材１１０に対して芯部材１３０を回転させる。図９（ｂ）にこの回転後の状態を示す。ケース部材１１０に対する芯部材１３０のこの位置が、芯部材１３０がスライド可能な範囲の限界である第１の位置（開位置）に相当する。
【００８２】
さらにユーザは図９（ｂ）の状態において、突起部１１８が第３の溝部分１３８ｃの一端から他端方向へ移動するように、ケース部材１１０に対して芯部材１３０をさらにケース部材１１０の奥方向へスライドして挿入する。図９（ｃ）にこの挿入後の状態を示す。ケース部材１１０に対する芯部材１３０のこの位置が、芯部材１３０がスライド可能な範囲の限界である第２の位置（閉位置）に相当する。
【００８３】
結局、第１の変形例では、第１のコード保持部１３２への初期的なコード中間部分の取り付け後の、コード端部分の繰り返しの着脱動作は図９（ｂ）の第１の位置（開位置）と図９（ｃ）の第２の位置（閉位置）との間のケース部材１１０内での軸方向（縦方向）での芯部材１３０のスライド動作により行われる。そのスライド動作は、上記実施形態に関して図３（ａ）（ｂ）に示した動作と同様である。
【００８４】
また、この第１の変形例では、ケース部材１１０内に収容された芯部材１３０をケース部材１１０から排出させる際に、ケース部材１１０に対してスライド操作するための操作部として、スリット部１１３から外部へ露出した操作用突出部１３７を有する。操作用突出部１３７は、芯部材１３０の長手方向に沿って設けられた突条で構成されているが、その基部のほぼ半分（コード保持部１３２側）は空隙部１３９となっている（図７（ｂ）参照）。これにより、第１の溝部分１３８ａに沿って突起部１１８をスライドさせる際、操作用突出部１３７の空隙部１３９がケース部材１１０の壁面を受容するので、操作用突出部１３７がスライド動作の支障となることはない。また、第１の位置から第２の位置への移動の際にも空隙部１３９はケース部材１１０の台座部１１９を受容する。このとき、操作用突出部１３７の残存する基部はスリット部１１３に受容される。したがって、スリット部１１３の長さはスリット部１３に比べて短くて足りる。
【００８５】
図示の例では、クランク状溝１３８の第３の溝部分１３８ｃは操作用突出部１３７の空隙部１３９に重なる位置に設けられている（図７（ａ）（ｂ）参照）。但し、クランク状溝１３８と操作用突出部１３７の空隙部１３９の位置関係は図示の構成に限るものではない。
【００８６】
第３の溝部分１３８ｃに沿ったケース部材１１０に対する芯部材１３０の挿入の際、操作用突出部１３７の基部がケース部材１１０のスリット部１１３の端部に当接することにより、それ以上の挿入が阻止される。したがって、第１の変形例では、図１の実施形態の環状縁部１７に相当する部位をケース部材１１０に設ける必要はない。
【００８７】
第３の溝部分１３８ｃに沿って芯部材１３０をケース部材１１０に完全に挿入した状態（すなわち芯部材１３０がケース部材１１０に対して第２の位置へスライドされた状態）を維持するロック手段として、操作用突出部１３７の空隙部１３９側の面が台座部１１９に乗り上げて、その摩擦力で芯部材１３０が第２の位置（閉位置）に保持されるようにすることができる。
【００８８】
あるいは、図１に示した実施形態のように、突起部１８と凹部３９に相当する部位の係合でロック手段を構成してもよい。例えば、突起部としてケース部材１１０の突起部１１８を利用することができる。その場合、第２の位置での芯部材１３０の第３の溝部分１３８ｃの、突起部１１８が位置する溝部分位置の直前の位置の溝深さを若干浅くした浅瀬部（または狭隘部）を形成することにより、凹部に相当する部位を設けることができる。突起部１１８は第２の位置に達する直前でその浅瀬部を乗り越える際に余分な操作力を要するので、芯部材１３０には、その乗り越えた後は当該第２の位置に維持される保持力が働く。
【００８９】
なお、溝部分１３８ｂの中間位置にも同様の浅瀬部（または狭隘部）を設けてもよい。これによって、芯部材１３０の回転操作時に突起部１１８が浅瀬部を乗り越える際に、比較的大きな力を要する。その結果、突起部１１８は第３の溝部分１３８ｃへ移行した後は、ある程度の大きさ以上の横向きの力（回転力）が働かない限り、第１の位置と第２の位置の間の第３の溝部分１３８ｃから誤って第１の溝部分１３８ａへ移動することがない。
【００９０】
図９（ｃ）に示した第２の位置の状態において、台座部１１９の上に空隙部１３９が若干残る構成とした場合、操作部１３７を万年筆のキャップに設けられていると同様のクリップとして、図６で説明したように、ポケット等の衣服の一部に固着する手段として利用することも可能である。
【００９１】
他の作用効果は上述した実施形態と同様である。
【００９２】
＜第２の変形例＞
図１０に、イヤホンコード絡まり防止具の実施形態の第２の変形例を示す。図１０（ａ）は第２の変形例におけるイヤホンコード絡まり防止具１００ｂのケース部材２１０と芯部材２３０の外観を示した斜視図である。図１０（ｂ）は芯部材２３０の別の角度から見た斜視図である。
【００９３】
この第２の変形例においても、図１０（ａ）に示すように、イヤホンコード絡まり防止具１００ｂはケース部材２１０と芯部材２３０の二つの部品のみにより構成される。ケース部材２１０は、ほぼ円筒状の筒状体２１１により構成されている。芯部材２３０は、第１のコード保持部２３２と第２のコード保持部２３３とを有する芯状体２３１により構成される。第１のコード保持部２３２には、イヤホンコードの中間部分を屈曲して収容するための、端部側に開口したほぼＵ字状の溝であるコード中間部分収容溝２３４（図１０（ｂ）参照）が形成されている。第２のコード保持部２３３は、コード束用横溝２３５とコード束用縦溝２３６とからなるほぼＬ字状（ほぼ９０°）に屈曲したコード収容空間を有する。
【００９４】
このような構成は上述した実施形態および第１の変形例と共通している。
【００９５】
図１０（ａ）によく表れるように、芯部材２３０の表面（湾曲した周面）にクランク状溝２３８と、ケース部材２１０の内壁から内側へ突出し、クランク状溝２３８に係合してスライドする突起部２１８とを有している。クランク状溝２３８は、芯部材２３０の一端（第１のコード保持部２３２側）に開口し、芯部材２３０の半ばまでその長手方向に沿って伸びた第１の溝部分２３８ａと、この溝部分２３８ａがほぼ直角に屈曲して芯部材２３０の円周方向に若干量（回転角度にして１５°程度）横行した第２の溝部分２３８ｂと、この第２の溝部分２３８から芯部材２３０の膨大頭部２３３ａの近傍まで長手方向に沿って伸びた第３の溝部分２３８ｃとからなる。このような構成は第１の変形例と同様である。
【００９６】
芯部材２３０へのコード中間部分の保持も図１の実施形態と同様である。すなわち、ユーザは、このイヤホンコード絡まり防止具１００ｂを取り付けたい位置のイヤホンコード５１の中間部分をほぼＵ字状に湾曲させて、この湾曲部を先頭にして開口２１６の側からケース部材２１０の中を通し、反対側の開口２１４から所定量だけ露出させ、ついで、このほぼＵ字状の湾曲部を芯部材２３０のコード中間部分収容溝２３４に収容する。
【００９７】
なお、第２の変形例におけるコード中間部分収容溝２３４は図１（ｂ）に示したような厳密な意味での溝の構成ではないが、実際上、中間壁２３２ａとケース部材２１０の内壁とによりほぼＵ字状の溝が構成される。
【００９８】
筒状体２１１の一端の開口２１４には、長手方向（軸方向）の中間近傍まで伸びた切り欠き２１２が形成されている。この変形例では、切り欠き２１２に続くスリット部は存在しない。ユーザは、この状態の芯部材２３０をケース部材１１０の開口２１４に挿入する。その際、この第２の変形例では、クランク状溝２３８の第１の溝部分２３８ａに突起部２１８を係合させた状態で同溝部分２３８ａの端部まで芯部材２３０をケース部材２１０内へ挿入する。図１１（ａ）にその状態を示す。便宜上、コードは図示省略してある。
【００９９】
ユーザは図１１（ａ）の状態から、第２の溝部分２３８ｂの一端にある突起部２１８が第２の溝部分２３８ｂの他端へ移動するように、ケース部材２１０に対して芯部材２３０を回転させる。図１１（ｂ）にこの回転後の状態を示す。ケース部材２１０に対する芯部材２３０のこの位置が、芯部材２３０がスライド可能な範囲の限界である第１の位置（開位置）に相当する。
【０１００】
さらにユーザは図１１（ｂ）の状態から、突起部２１８が第３の溝部分２３８ｃの一端から他端方向へ移動するように、ケース部材２１０に対して芯部材２３０をさらにケース部材２１０の奥方向へ挿入する。図１１（ｃ）にこの挿入後の状態を示す。ケース部材２１０に対する芯部材２３０のこの位置が、芯部材２３０がスライド可能な範囲の限界である第２の位置（閉位置）に相当する。
【０１０１】
上記実施形態および第１の変形例と異なる構成は以下の点である。
【０１０２】
すなわち、第２の変形例では、操作部として、上述した突条の代わりに、第２のコード保持部２３３に対して膨大頭部２３３ａが設けられている。ユーザはこの膨大頭部２３３ａを指先で摘んで、必要な操作（例えば、ケース部材２１０に対する芯部材２３０の挿入・離脱ならびに第１および第２の位置間のスライド操作を行うことができる。
【０１０３】
芯部材２３０をケース部材２１０に完全に挿入した状態（すなわち芯部材２３０がケース部材２１０に対して第２の位置へスライドされた状態）を維持するロック手段は、第２のコード保持部２３３の膨大頭部２３３ａの近傍がケース部材２１０に摩擦力で係止されることにより構成される。
【０１０４】
これに代えて、またはこれに加えて、第１の変形例で上述したように、突起部２１８がクランク状溝２３８の浅瀬部（または狭隘部）を乗り越えて凹部に嵌合する構成を設けてもよい。
【０１０５】
第２の変形例では、第１のコード保持部２３２への初期的なコード中間部分の取り付け後の、コード端部分の繰り返しの着脱動作は図１１（ｂ）の第１の位置（開位置）と図１１（ｃ）の第２の位置（閉位置）との間のスライド動作により行われる。図１１において、コードは図示省略してある。そのスライド動作は、上記実施形態に関して図３（ａ）（ｂ）に示した動作と同様である。
【０１０６】
他の作用効果は上述した実施形態と同様である。
【０１０７】
＜第３の変形例＞
図１２にイヤホンコード絡まり防止具の実施形態の第３の変形例を示す。図１２（ａ）は第３の変形例におけるイヤホンコード絡まり防止具１００ｃのケース部材３１０と芯部材３３０の外観を示した斜視図である。図１２（ｂ）はケース部材３１０に芯部材３３０を挿入した第１の位置（開位置）での外観を示す斜視図、図１２（ｃ）は第２の位置（閉位置）での外観を示す斜視図である。
【０１０８】
この第３の変形例においても、図１２（ａ）に示すように、イヤホンコード絡まり防止具１００ｃはケース部材３１０と芯部材３３０の二つの部品のみにより構成される。ケース部材３１０は、ほぼ円筒状の筒状体３１１により構成されている。芯部材３３０は、第１のコード保持部３３２と第２のコード保持部３３３とを有する芯状体３３１により構成される。第１のコード保持部３３２には、イヤホンコードの中間部分を屈曲して収容するための、端部側に開口したほぼＵ字状の溝であるコード中間部分収容溝３３４が形成されている。第２のコード保持部３３３は、コード束用横溝３３５とコード束用縦溝３３６とからなるほぼＬ字状（ほぼ９０°）に屈曲したコード収容空間を有する。
【０１０９】
このような構成は上述した実施形態、および第１および第２の変形例と共通している。異なる点は以下の点である。
【０１１０】
第３の変形例では、第２の変形例と同様に、操作部として、第２のコード保持部３３３に対して膨大頭部３３３ａが設けられている。ユーザはこの膨大頭部３３３ａを指先で摘んで、必要な操作（例えば、ケース部材３１０に対する芯部材３３０の挿入・離脱ならびに第１および第２の位置間のスライド操作を行うことができる。
【０１１１】
芯部材３３０をケース部材３１０に完全に挿入した状態（すなわち芯部材３３０がケース部材３１０に対して第２の位置へスライドされた状態）を維持するロック手段は、第２のコード保持部３３３の膨大頭部３３３ａの近傍がケース部材３１０の開口３１４に摩擦力で係止されることにより構成される。
【０１１２】
これに代えて、またはこれに加えて、上述した実施形態のような、ケース部材３１０の内壁に設けられた突起部（図示せず）が芯部材３３０の表面に設けられた凹部（図示せず）に嵌合する構成を設けてもよい。
【０１１３】
第３の変形例では、第１のコード保持部への初期的なコード中間部分の取り付け後の、コード端部分の繰り返しの着脱動作は図１２（ｂ）の第１の位置（開位置）と図１２（ｃ）の第２の位置（閉位置）との間のスライド動作により行われる。図１２においてコードは図示省略してある。そのスライド動作は、上記実施形態に関して図３（ａ）（ｂ）に示した動作と同様である。
【０１１４】
図１２に示すように、芯部材３３０の第２のコード保持部３３３の大径部分の傾斜側辺と、ケース部材３１０の切り欠き３１２の傾斜側辺はほぼ同一のサイズおよび形状を有し、ケース部材３１０に対して芯部材３３０を所定の位置へ案内する一種の案内手段として機能する。他の作用効果は上述した実施形態と同様である。
【０１１５】
＜第４の変形例＞
図１３に、イヤホンコード絡まり防止具の実施形態の第４の変形例を示す。図１３（ａ）は第４の変形例におけるイヤホンコード絡まり防止具１００ｄのケース部材４１０と芯部材４３０の外観を示した斜視図である。図１３（ｂ）は芯部材４３０の別の角度から見た斜視図である。
【０１１６】
この第４の変形例においても、図１３（ａ）に示すように、イヤホンコード絡まり防止具１００ｄはケース部材４１０と芯部材４３０の二つの部品のみにより構成される。ケース部材４１０は、ほぼ円筒状の筒状体４１１により構成されており、開口４１４に繋がる切り欠き４１２を有する。芯部材４３０は、第１のコード保持部４３２と第２のコード保持部４３３とを有する芯状体４３１により構成される。第２のコード保持部４３３は、コード束用横溝４３５とコード束用縦溝４３６とからなるほぼＬ字状（ほぼ９０°）に屈曲したコード収容空間を有する。第１のコード保持部４３２には、イヤホンコードの中間部分を屈曲して収容するための、端部側に開口したほぼＵ字状の溝であるコード中間部分収容溝４３４が形成されている。
【０１１７】
このような構成は上述した実施形態、および第１、第２および第３の変形例と共通している。ただし、第１のコード保持部４３２のほぼＵ字状の溝の直線部の外壁は不完全であり、その中間壁４３２ａが長手方向に延出した構成を有している。すなわち、第４の変形例におけるコード中間部分収容溝４３４は図１（ｂ）に示したような厳密な意味での溝の構成ではないが、実際上、中間壁４３２ａとケース部材４１０の内壁とによりほぼＵ字状の溝が構成される。
【０１１８】
図１４（ａ）は、ケース部材４１０に芯部材４３０の一端を挿入し、コード収容空間が開放された、芯部材４３０の第１の位置（開位置）を示す。
【０１１９】
図１４（ｂ）に示すように、芯部材４３０の一端である中間壁４３２ａは、ケース部材４１０に芯部材４３０が完全に挿入された状態（すなわち芯部材３０がケース部材１０に対して第２の位置へスライドされた状態）で、突出尻部として、ケース部材４１０の開口４１６から外方へ突出する。
【０１２０】
第４の変形例では、この突出尻部としての中間壁４３２ａが操作部としても機能する。すなわち、ケース部材４１０に対して第２の位置（閉位置）にある芯部材４３０を第１の位置（開位置）へスライド操作させるとき、ユーザはケース部材４１０に対して、突出尻部（すなわち芯部材４３０の突出した中間壁４３２ａ）をケース部材４１０の開口４１６の端部位置まで押し込めば足りる。
【０１２１】
したがって、第４の変形例では、上述した突条や膨大頭部のような他の操作部は必要ない。
【０１２２】
一方、ケース部材４１０のほぼ中央部の環状突条４１７が補助操作部として設けられている。この補助操作部は、突出尻部を押すユーザの一方の手（指）に対して、他方の手でケース部材４１０を保持する際の滑り止め部として働く。ケース部材４１０に芯部材４３０を挿入する際にも同様の滑り止め部として機能する。
【０１２３】
環状突条４１７は完全な円環である必要は無く、その一部が１箇所以上欠けていてもよい。図の例においても１箇所が欠けている。この欠けている部分にケース部材４１０の一部が入り込むことにより、ケース部材４１０に対する芯部材４３０の回転方向の位置決めが行えるようになっている。また、図１３に示すように、芯部材４３０の第２のコード保持部４３３の大径部分４３３ａの傾斜側辺と、ケース部材４１０の切り欠き４１２の傾斜側辺はほぼ同一のサイズおよび形状を有し、ケース部材４１０に対して芯部材４３０を第１の位置から第２の位置へスライドさせる際に、ケース部材４１０に対して芯部材４３０を所定の回転位置へ案内する一種の案内手段として機能する。滑り止め部としては環状突条４１７に限るものではなく、例えばケース部材４１０の表面に凹凸形状や横縞状等の溝形状などの摩擦力増大手段を設けてもよい。
【０１２４】
芯部材４３０をケース部材４１０に完全に挿入した状態（すなわち芯部材４３０がケース部材４１０に対して第２の位置へスライドされた状態）を維持するロック手段として、第２のコード保持部４３３の端部近傍がケース部材３１０の開口３１４に摩擦力で係止されることにより構成される。
【０１２５】
なお、図１４ではコードは図示省略してある。そのスライド動作は、上記実施形態に関して図３（ａ）（ｂ）に示した動作と同様である。
【０１２６】
他の作用効果は上述した実施形態と同様である。
【０１２７】
＜第５の変形例＞
図１５に、イヤホンコード絡まり防止具の実施形態の第５の変形例を示す。図１５（ａ）は第５の変形例におけるイヤホンコード絡まり防止具１００ｅのケース部材５１０と芯部材５３０の外観を示した斜視図である。図１５（ｂ）はケース部材５１０の特定の角度から見た正面図である。図１５（ｃ）は芯部材５３０の背面図である。
【０１２８】
この第５の変形例においても、図１５（ａ）に示すように、イヤホンコード絡まり防止具１００ｅはケース部材５１０と芯部材５３０の二つの部品のみにより構成される。ケース部材５１０は、ほぼ円筒状の筒状体５１１により構成されており、開口５１４に繋がる切り欠き５１２を有する。芯部材５３０は、第１のコード保持部５３２と第２のコード保持部５３３とを有する芯状体５３１により構成される。第２のコード保持部５３３は、コード束用横溝５３５とコード束用縦溝５３６とからなるほぼＬ字状（ほぼ９０°）に屈曲したコード収容空間を有する。第１のコード保持部５３２には、イヤホンコードの中間部分を屈曲して収容するための、端部側に開口したほぼＵ字状の溝であるコード中間部分収容溝５３４が形成されている。
【０１２９】
このような構成は上述した実施形態、および第１〜第４の変形例と共通している。ただし、第１のコード保持部５３２のほぼＵ字状の溝の直線部の外壁は第４の変形例と同様に不完全であり、その中間壁５３２ａが長手方向に延出した構成を有している。すなわち、第５の変形例におけるコード中間部分収容溝５３４は図１（ｂ）に示したような厳密な意味での溝の構成ではないが、実際上、中間壁５３２ａとケース部材５１０の内壁とによりほぼＵ字状の溝が構成される。
【０１３０】
第５の変形例は図７に示した第１の変形例をさらに変形したものである。すなわち、第１の変形例では、ケース部材の中で芯部材がスライド動作する範囲を定める案内手段として、あるいは脱落防止手段として、芯部材１３０の表面（湾曲した周面）にクランク状溝１３８と、ケース部材１１０の内壁から内側へ突出しクランク状溝１３８に係合してスライドする突起部１１８とを設けた。これに対して、第４の変形例では、クランク状溝１３８の機能に相当する要素として、ケース部材５１０にクランク状スリット５３８（５３８ａ，５３８ｂ，５３８ｃの総称）を設けている。このクランク状スリット５３８は、一連の第１のスリット部分５３８ａと第２のスリット部分５３８ｂと第３のスリット部分５３８ｃを含む。第１のスリット部分５３８ａは切り欠き５１２が兼ねている。第３のスリット部分５３８ｃは、ケース部材５１０の長手方向に伸びる図１のスリット部１３に相当するスリット５１３が兼ねている。第２のスリット部分５３８ｂは第１のスリット部分５３８ａの端部から横行して第３のスリット部分５３８ｃの端部につながる部分である。
【０１３１】
このようなクランク状スリット５３８に案内される部位として、第１の変形例における操作用突出部１３７に相当する部材としての操作用突出部５３７の下部に柱状部５３７ｂを設けている。操作用突出部５３７はその下部において、第２のコード保持部５３３側の端部の基部５３７ａと、第１のコード保持部５３２側の中間部の柱状部５３７ｂとで芯状体５３１の表面に接続されている。操作用突出部５３７の下部において、基部５３７ａと柱状部５３７ｂの間には細長い空隙５３７ｃが形成され、また、柱状部５３７ｂの外側には細長い空隙５３９が形成されている。ケース部材５１０において、第２のスリット部分５３８ｂの一端を構成するよう、ケース部材５１０の一部が切り欠き５１２の方向へ突出した突出部５１５が設けられる。
【０１３２】
図１６により、第５の変形例におけるイヤホンコード絡まり防止具１００ｅの手順を説明する。図では、便宜上、イヤホンコードは図示省略してある。    
【０１３３】
まず、第１のコード保持部５３２にイヤホンコードの中間部分を保持した状態で芯部材５３０がケース部材５１０に挿入される際、操作用突出部５３７の柱状部５３７ｂがクランク状スリット５３８に係合する。したがって、本明細書では柱状部を係合片と呼ぶ。
【０１３４】
より具体的には、芯部材５３０は柱状部５３７ｂケース部材５１０の切り欠き５１２である第１のスリット部分５３８ａに進入し、奥方向へスライドしてその端部に達する。その後、柱状部５３７ｂが第２のスリット部分５３８ｂに沿って移動するように、ケース部材５１０に対して芯部材５３０を回転させる。これにより柱状部５３７ｂが第２のスリット部分５３８ｂの端部に達する。この後、柱状部５３７ｂは第３のスリット部分５３８ｃの全長にわたって、往復動が可能となる。この往復動はケース部材５１０に対してその長手方向に沿って、第１の位置と第２の位置の間で芯部材５３０がスライド動作可能となることを意味する。
【０１３５】
たとえば突出部５１５の形状の工夫等により、第２のスリット部分５３８ｂの経路中に狭隘な部分（狭隘部または浅瀬部）を設けることにより、柱状部５３７ｂが第１のスリット部分５３８ａから第３のスリット部分５３８ｃへ移行する際（およびその逆方向への移行の際）、若干の外力（操作力）増加を必要とすることにより、一旦、柱状部５３７ｂが第３のスリット部分５３８ｃへ移行した後はユーザの意思に反して不用意に第１のスリット部分５３８ａ側へ戻ることがないようにすることができる。
【０１３６】
イヤホンの不使用時に、芯部材５３０の一部がケース部材５１０から引き出された第１の位置で、プラグ部近傍のコード端部分とイヤホンヘッド部近傍のコード端部分とを束ねて第２のコード保持部５３３のコード収容空間内に収容する。この状態で芯部材５３０をケース部材５１０の中（第２の位置）へスライドさせる。これにより、図５（ｃ）に示したと同様に、コード端部分のコード束が第２のコード保持部５３３に収納・固定される。この固定状態を確実にするために、図示しないが、上述した突起部１８および凹部３９のようなロック手段を設けてもよい。
【０１３７】
なお、係合片としては、柱状部５３７ｂの代わりに、芯状体５３１の表面から外方へ突出した突起部（図示せず）を用いることも可能である。あるいは、操作用突出部５３７の裏面から下方へ突出した突起部（芯状体５３１に達しない）を利用することも可能である。前者の場合、ケース部材のクランク状スリット５３８の代わりに、内周面に設けられた有底のクランク状溝を設けてもよい。
【０１３８】
＜第６の変形例＞
図１７に、イヤホンコード絡まり防止具の実施形態の第６の変形例を示す。図１７（ａ）は第６の変形例におけるイヤホンコード絡まり防止具１００ｆのケース部材６１０と芯部材６３０の外観を示した斜視図である。図１７（ｂ）は芯部材６３０の特定の角度から見た正面図、図１７（ｃ）はその背面図である。
【０１３９】
この第６の変形例においても、図１７（ａ）に示すように、イヤホンコード絡まり防止具１００ｆはケース部材６１０と芯部材６３０の二つの部品のみにより構成される。ケース部材６１０は、ほぼ円筒状の筒状体６１１により構成されており、開口６１４に繋がる切り欠き６１２を有する。芯部材６３０は、第１のコード保持部６３２と第２のコード保持部６３３とを有する芯状体６３１により構成される。第２のコード保持部６３３は、コード束用横溝６３５とコード束用縦溝６３６とからなるほぼＬ字状（ほぼ９０°）に屈曲したコード収容空間を有する。第１のコード保持部６３２には、イヤホンコードの中間部分を屈曲して収容するための、端部側に開口したほぼＵ字状の溝であるコード中間部分収容溝６３４が形成されている。
【０１４０】
このような構成は上述した実施形態、および第１〜第５の変形例と共通している。ただし、第１のコード保持部６３２のほぼＵ字状の溝の直線部の外壁は第４の変形例と同様に不完全であり、その中間壁６３２ａが長手方向に延出した構成を有している。すなわち、第６の変形例におけるコード中間部分収容溝６３４は図１（ｂ）に示したような厳密な意味での溝の構成ではないが、実際上、中間壁６３２ａとケース部材６１０の内壁とによりほぼＵ字状の溝が構成される。
【０１４１】
第６の変形例のイヤホンコードからみ防止具１００ｆは、図１３に示した第４の変形例をさらに変形したものである。すなわち、第４の変形例のイヤホンコードからみ防止具１００ｄに対して明示的な脱落防止手段の機能を追加したものである。すなわち、芯部材６３０の側部表面（平板状部である中間壁６３２ａのコード中間部分収容溝６３４が設けられていない側の細長い外周面）上に、その長手方向に沿ってスライド溝６３８（６３８ｂ、６３８ｃの総称）が設けられる。この溝部分６３８ｃは機能的には、上述した第１の変形例のクランク溝１３８の第３の溝部分１３８ｃに対応する。クランク溝１３８の第２の溝部分１３８ｂに対応する要素として、第６の変形例ではスライド溝６３８の溝部分６３８ｂが設けられている。溝部分６３８ｂは溝部分６３８ｃの端部（第２のコード保持部６３３側）において溝部分６３８ｃの側部（横方向）に設けられた凹部（溝部の側壁が欠落した部分）により構成される。第６の変形例において第１の溝部分１３８ａに対応する要素は存在しない。
【０１４２】
ケース部材６１０の内周面の所定の位置には、溝部分６３８ｃに係合する突起部６１８が設けられる。図１７において、図１３のイヤホンコード絡まり防止具１００ｄに示したような環状突条４１７は図示していないが、これを設けてもよい。
【０１４３】
図１８により、イヤホンコード絡まり防止具１００ｆの使用時の手順を説明する。図では、便宜上、イヤホンコードは図示省略してある。図１８では便宜上、突起部６１８は塗りつぶして示してある。
【０１４４】
まず、第１のコード保持部６３２にイヤホンコードの中間部分を保持した状態で芯部材６３０がケース部材６１０に挿入される際、図１８（ａ）に示すように、ケース部材６１０の内周面上の突起部６１８が溝部分６３８ｂの傍らに位置するように、芯部材６３０をケース部材６１０内へ挿入する。この際、第１のコード保持部６３２は上述したような操作部として機能する突出尻部を構成している。
【０１４５】
この状態で、ケース部材６１０に対して芯部材６３０を所定の方向に回転させることにより、図１８（ｂ）に示すように、突起部６１８が溝部分６３８ｂを経由して（乗り越えて）溝部分６３８ｃの端部に到達して、そこに係合される。
【０１４６】
その後、突起部６１８は溝部分６３８ｃの全長にわたって、往復動が可能となる。この往復動はケース部材６１０に対してその長手方向に沿って、第１の位置と第２の位置の間で芯部材６３０がスライド動作可能となることを意味する。
【０１４７】
たとえば、突起部６１８のサイズに比して、第２の溝部分６３８ｂに狭隘な部分（狭隘部または浅瀬部）を設けることにより、突起部６１８が溝部分６３８ｂの外側から溝部分６３８ｃへ移行する際（およびその逆方向への移行の際）、若干の外力（操作力）増加を必要とすることにより、一旦、突起部６１８が溝部分６３８ｃへ移行した後はユーザの意思に反して不用意にこの溝部分６３８ｃから離脱することがないようにすることができる。
【０１４８】
図１８（ｃ）に示すように、イヤホンの不使用時に、芯部材６３０の第２のコード保持部６３３がケース部材６１０から引き出された第１の位置で、プラグ部近傍のコード端部分とイヤホンヘッド部近傍のコード端部分とを束ねて第２のコード保持部６３３のコード収容空間内に収容する。この状態で、芯部材６３０の第２コード保持部６３３がケース部材６１０に押し込まれると、突起部６１８が溝部分６３８ｃに案内されて、芯部材６３０がケース部材６１０の中（第２の位置）へ直線的に移動する。これにより、図５（ｃ）に示したと同様に、コード端部分のコード束が第２のコード保持部６３３に収納・固定される。この固定状態を確実にするために、図示しないが、上述した突起部１８および凹部３９のようなロック手段を設けてもよい。
【０１４９】
このように本変形例では、操作時に、ケース部材６１０の内周面に設けられた突起部６１８が重要な役割を果たすので、ケース部材６１０内にある突起部６１８およびスライド溝６３８が視認できるように、ケース部材６１０は透明（半透明を含む）の材料で形成することが望ましい。
【０１５０】
なお、溝部分６３８ｃの端部においてその横方向のいずれの側に溝部分６３８ｂを設けるかは第２のコード保持部６３３のコード束用横溝６３５と切り欠き６１２との関係による。すなわち、突起部６１８が溝部分６２８ｃに係合した状態から溝部分６２８ｂを経由して溝部分６２８ｃから離脱する際に、第２の位置（閉位置）においてケース部材６１０が芯部材６３０に対して回転しなければならないが、この回転が第２のコード保持部６３３に保持されたコード端部分（コード束）を解放する側に行われる必要がある。このような観点から、図１８に示した例では、溝部分６２８ｃを第１のコード保持部６３２側から第２のコード保持部６３３へ向かって見た場合に、左側に設けられる。
【０１５１】
図１９により、第６の変形例における芯部材６３０のさらなる変形例としての芯部材６３０ａの構成例を説明する。
【０１５２】
図１９（ａ）は芯部材６３０の外観を示し、図１９（ｂ）はその変形例である芯部材６３０ａの外観を示している。第１のコード保持部６３２の中間壁６３４ａは比較的平板状の形状を有している。これに対して、芯部材６３０ａでは、平板状部の背部に設けられた溝部分６３８ｃに沿ってその片側に円弧状に張り出した延出部６３４ｂが設けられている。
【０１５３】
延出部６３４ｂの第１の目的は、平板状の第１のコード保持部６３２（特に第２のコード保持部６３３への連結部分）の機械的強度を増加させることである。突起部６１８が溝部分６３８ｂを乗り越える際に、比較的大きな回転力が第１のコード保持部６３２の中間壁６３４ａに掛かる。このため、延出部６３４ｂを設けることにより、中間壁６３４ａが芯状体６３１の大径部に接続する接続面積を拡大させることができる。その結果、第１のコード保持部６３２、ひいては芯部材６３０の機械的強度が向上する。
【０１５４】
延出部６３４ｂの第２の目的は、溝部分６３８ｃに沿ってその片側のみに円弧状に張り出したことにより、芯部材６３０の長手方向に垂直の平面での平板状部（第１のコード保持部６３２）の断面形状が非対称の形状となり、これによって芯部材６３０をケース部材６１０に挿入する際の回転位置の決定を容易にすることである。つまり、回転方向において、ケース部材６１０の突起部６１８を延出部６３４ｂの張り出し端の側に位置させればよいことが直ちに理解されることにより、迅速かつ容易に適切な挿入操作を行うことが可能となる。
【０１５５】
＜その他の変形例＞
以上、本発明の好適な実施の形態について説明したが、上記で言及した以外にも種々の変形、変更を行うことが可能である。
【０１５６】
例えば、イヤホンコードの中間部分を保持する第１のコード保持部は芯部材３０にほぼＵ字状の溝を形成することにより設けたが、必ずしもほぼＵ字状の溝に限るものではない。さらに言えば、第１のコード保持部は芯部材３０に代えてまたは加えてケース部材１０の側に設けてもよい。これによって上述した実施形態の作用効果は若干減殺されることがあるとしても、なお第２のコード保持部により得られる格別な作用効果は有効である。
【０１５７】
また、ケース部材と芯部材の二つの部品のみにより構成される例を示したが、本発明は三つ以上の部品を利用することを排除するものではない。例えば、ケース部材と第２の芯部材とで第１のコード保持部を構成することも可能である。
【０１５８】
また、上述した複数の変形例のそれぞれの特徴および細部の構成については、特に言及しない場合にも、物理的に支障がない限り、他の変形例の特徴および細部の構成と組み合わせて用いることができる。
【符号の説明】
【０１５９】
１０：ケース部材  １１：筒状体  １２：切り欠き  １３：スリット部  １４：開口  １５：爪状突起  １６：開口  １７：環状縁部  １８：突起部  １９：円弧状部  ３０：芯部材  ３１：芯状体  ３２：第１のコード保持部  ３３：第２のコード保持部  ３４：コード中間部分収容溝  ３４ａ：中間壁  ３５：コード束用横溝  ３６：コード束用縦溝  ３７：操作用突出部  ３８：爪用スライド溝  ３８ａ：爪用スライド溝の一端  ３９：凹部  ５０：イヤホン  ５１：イヤホンコード（コード）  ５２：プラグ部  ５３：分岐コード  ５４：分岐コード  ５６：イヤホンヘッド部  ５７：イヤホンヘッド部  １００：イヤホンコード絡まり防止具  １００ａ：イヤホンコード絡まり防止具  １００ｂ：イヤホンコード絡まり防止具  １００ｃ：イヤホンコード絡まり防止具  １００ｄ：イヤホンコード絡まり防止具  １０１：前立て  １０２：ポケット  １１０：ケース部材  １１１：筒状体  １１２：切り欠き  １１３：スリット部  １１４：開口  １１６：開口  １１８：突起部  １１９：台座部  １３０：芯部材  １３１：芯状体  １３２：第１のコード保持部  １３３：第２のコード保持部  １３４：コード中間部分収容溝  １３５：コード束用横溝  １３６：コード束用縦溝  １３７：操作用突出部  １３８：クランク状溝  １３８ａ：クランク状溝の第１の溝部分  １３８ｂ：クランク状溝の第２の溝部分  １３８ｃ：クランク状溝の第３の溝部分  １３９：空隙部  ２１０：ケース部材  ２１１：筒状体  ２１２：切り欠き  ２１４：開口  ２１６：開口  ２１８：突起部  ２３０：芯部材  ２３１：芯状体  ２３２：第１のコード保持部  ２３２ａ：中間壁  ２３３：第２のコード保持部  ２３３ａ：膨大頭部  ２３４：コード中間部分収容溝  ２３５：コード束用横溝  ２３６：コード束用縦溝  ２３８：クランク状溝  ２３８ａ：クランク状溝の第１の溝部分  ２３８ｂ：クランク状溝の第２の溝部分  ２３８ｃ：クランク状溝の第３の溝部分  ３１０：ケース部材  ３１１：筒状体  ３１２：切り欠き  ３１４：開口  ３３０：芯部材  ３３１：芯状体  ３３２：第１のコード保持部  ３３３：第２のコード保持部  ３３３ａ：膨大頭部  ３３４：コード中間部分収容溝  ３３５：コード束用横溝  ３３６：コード束用縦溝  ４１０：ケース部材  ４１１：筒状体  ４１２：切り欠き  ４１４：開口  ４１６：開口  ４１７：環状突条  ４３０：芯部材  ４３１：芯状体  ４３２：第１のコード保持部  ４３２ａ：中間壁  ４３３：第２のコード保持部  ４３３ａ：大径部分  ４３４：コード中間部分収容溝  ４３５：コード束用横溝  ４３６：コード束用縦溝  ５１０：ケース部材  ５１１：筒状体  ５１２：切り欠き  ５１３：スリット  ５１４：開口  ５１５：突出部  ５３０：芯部材  ５３１：芯状体  ５３２：第１のコード保持部  ５３２ａ：中間壁  ５３３：第２のコード保持部  ５３４：コード中間部分収容溝  ５３５：コード束用横溝  ５３６：コード束用縦溝  ５３７：操作用突出部  ５３７ａ：基部  ５３７ｂ：柱状部  ５３７ｃ：空隙  ５３８：クランク状スリット  ５３８ａ：スリット部分  ５３８ｂ：スリット部分  ５３８ｃ：スリット部分  ５３９：空隙  ６１０：ケース部材  ６１１：筒状体  ６１４：開口  ６１８：突起部  ６２８ｂ：溝部分  ６２８ｃ：溝部分  ６３０：芯部材  ６３０ａ：芯部材  ６３１：芯状体  ６３２：第１のコード保持部６３２ａ：中間壁  ６３３：第２のコード保持部  ６３４：コード中間部分収容溝  ６３４ａ：中間壁  ６３４ｂ：延出部  ６３５：コード束用横溝  ６３６：コード束用縦溝  ６３８：スライド溝  ６３８ｂ：溝部分  ６３８ｃ：溝部分
【図１】
2019110510.tif 000003
【図２】
2019110510.tif 000004
【図３】
2019110510.tif 000005
【図４】
2019110510.tif 000006
【図５】
2019110510.tif 000007
【図６】
2019110510.tif 000008
【図７】
2019110510.tif 000009
【図８】
2019110510.tif 000010
【図９】
2019110510.tif 000011
【図１０】
2019110510.tif 000012
【図１１】
2019110510.tif 000013
【図１２】
2019110510.tif 000014
【図１３】
2019110510.tif 000015
【図１４】
2019110510.tif 000016
【図１５】
2019110510.tif 000017
【図１６】
2019110510.tif 000018
【図１７】
2019110510.tif 000019
【図１８】
2019110510.tif 000020
【図１９】
2019110510.tif 000021